(57)【特許請求の範囲】
【請求項１】
鉗子との使用のためのエンドエフェクタアセンブリであって：
旋回点の周りで互いに作動可能に連結された一対の対向する顎部材を備え、各々の顎部材が、それに固定されたシールプレートを有する構造支持部材を含み、各々のシールプレートが、電気的に伝導性の表面および底面を有し、該表面および該底面が、該表面と該底面との間に、深さを有し、そしてそれを通るナイフブレードを並進するような形態であるスロットを画定し、該表面が個々の構造支持部材に該シールプレートを固定するために利用され、該スロットの合わせた深さが該ナイフブレードの高さより大きくて、該スロットを通る該ナイフブレードの並進の間に該ナイフブレードが該構造支持部材中に延びず、
該構造支持部材の各々が該構造支持部材の各々を通って部分的に延びる溶接のための少なくとも１つの開口部を含み、該構造支持部材の各々の少なくとも溶接された部分が、該開口部と個々のシールプレートとの間に残り、該構造支持部材を該個々のシールプレートに溶接する、エンドエフェクタアセンブリ。
【請求項２】
前記溶接のタイプが、抵抗溶接、超音波溶接、ガス溶接、エネルギービーム溶接、爆圧溶接、および固体溶接からなる群から選択される、請求項１に記載のエンドエフェクタアセンブリ。
【請求項３】
前記スロットが、前記シールプレートの全厚みを通って延びる、請求項１に記載のエンドエフェクタアセンブリ。
【請求項４】
前記シールプレートの各々が、不均一な厚みを有する、請求項３に記載のエンドエフェクタアセンブリ。
【請求項５】
鉗子との使用のためのエンドエフェクタアセンブリの顎部材を製造する方法であって：
構造支持部であって、その表面に付随し、かつそれを通って部分的に延びる溶接のための少なくとも１つの開口部を含む構造支持部を提供する工程；
シールプレートであって、電気的に伝導性の表面および底面を有し、該表面および該底面が、該表面と該底面との間に画定されるスロットを有し、該表面が該構造支持部に該シールプレートを固定するために利用され、該シールプレートが、それを通ってナイフブレードを並進するような形態であり、該スロットを通る該ナイフブレードの並進の間に該ナイフブレードが該構造支持部中に延びない、シールプレートを提供する工程、を包含し；そして
該構造支持部の少なくとも溶接された部分が、溶接のための開口部と個々のシールプレートとの間に残り、該構造支持部を該個々のシールプレートに溶接する、方法。
【請求項６】
前記シールプレートが、前記構造支持部に、抵抗溶接、超音波溶接、ガス溶接、エネルギービーム溶接、爆圧溶接、および固体溶接からなる群から選択されるプロセスによって溶接される、請求項５に記載の方法。
【発明の詳細な説明】
【技術分野】
【０００１】
（関連出願への相互参照）
本出願は、Ｅｄｗａｒｄ  Ｃｈｏｊｉｎによって２００８年２月６日に出願された「電気外科用デバイスのためのエンドエフェクタアセンブリおよびその作製方法」と題する米国仮出願番号第６１／０２６，４９９号に基づく優先権の利益を主張しており、この仮出願は、本明細書中に参考として援用される。
【０００２】
（背景）
（技術分野）
本開示は、電気外科用鉗子に関し、そしてより特定すれば、本開示は、シールプレート内にナイフブレード、またはその一部分を受容するための形態であるエンドエフェクタアセンブリを採用する電気外科用鉗子に関する。
【背景技術】
【０００３】
（関連技術の説明）
当該技術分野で公知であるように、双極鉗子は、代表的には、１つ以上の顎部材を含むエンドエフェクタアセンブリを採用する。一般に、これら顎部材は、構造支持部材、絶縁膜、および薄いシールプレートを含む。この構造支持部材および薄いシールプレートは各々、ナイフブレード、またはその一部分を受容するように適合されたスロットを含み得る。
【発明の概要】
【発明が解決しようとする課題】
【０００４】
上記顎部材の構造支持部材および薄いシールプレートは、オーバーモールドされ得、そして／または一緒にスタンプされ得、ここで、上記シールプレートのスロットは、上記構造支持部材上のスロットまたは溝と、上記の顎が閉鎖形態にあるとき、ナイフブレードがその中で長手軸方向に移動し得るように整列されるような形態である。ナイフブレード、上記構造支持部材中のスロット、および上記シールプレート中のスロットは、互いとほぼ完全に整列している必要があるので、製造プロセスの間の機械加工許容誤差は、最小に維持されなければならない。それ故、従来のエンドエフェクタアセンブリを製造することは、一般に、時間を浪費し、そして複数工程のプロセスを必要とし、これは、次に、製造業者にとって増加したコストに至り得る。
【課題を解決するための手段】
【０００５】
鉗子との使用のためのエンドエフェクタアセンブリが提供される。このエンドエフェクタアセンブリは、旋回点の周りで互いに作動可能に連結された一対の対向する顎部材を含む。各々の顎部材は、それに固定されたシールプレートを有する構造支持部材を含む。１つの実施形態では、構造支持部の各々が、前記構造支持部材の個々のシールプレートへの構造的係合を容易にするような形態である、その中に延びる少なくとも１つの開口部を含む。実施形態では、この開口部は、上記シールプレートの全厚みを通って延び得る。あるいは、上記開口部は、上記シールプレートの全厚みを通って延びない。各々のシールプレートは、深さを有し、そしてそれを通るナイフブレードを並進するような形態であるスロットを画定する。これらスロットの合わせた深さは、上記ナイフブレードの高さより大きい。
【０００６】
実施形態では、上記シールプレートは、溶接、はんだ付けおよび蝋付けの少なくとも１つを介してそれらの個々の構造支持部に固定される。溶接のタイプは、抵抗溶接、超音波溶接、ガス溶接、エネルギービーム溶接、爆圧溶接、および固体溶接からなる群から選択され得る。
【０００７】
双極鉗子との使用のためのエンドエフェクタアセンブリを製造する方法が提供される。この方法は：ａ）その表面に付随する少なくとも１つの開口部を含む構造支持部を提供する工程；ｂ）それを通るナイフブレードを並進するような形態のスロットを画定するシールプレートを提供する工程；およびｃ）上記シールプレートを上記構造支持部に連結するための接近を得るために該少なくとも１つの開口部を利用する工程を含む。
【０００８】
例えば、本発明は以下の項目を提供する。
【０００９】
（項目１）鉗子との使用のためのエンドエフェクタアセンブリであって：
旋回点の周りで互いに作動可能に連結された一対の対向する顎部材を備え、各々の顎部材が、それに固定されたシールプレートを有する構造支持部材を含み、各々のシールプレートが、深さを有し、そしてそれを通るナイフブレードを並進するような形態であるスロットを画定し、該スロットの合わせた深さが該ナイフブレードの高さより大きい、エンドエフェクタアセンブリ。
【００１０】
（項目２）上記構造支持部の各々が、構造支持部材の個々のシールプレートへの構造的係合を容易にするような形態である、その中に延びる少なくとも１つの開口部を含む、項目１に記載のエンドエフェクタアセンブリ。
【００１１】
（項目３）上記シールプレートは、溶接、はんだ付けおよび蝋付けの少なくとも１つを介してそれらの個々の構造支持部材に固定される、項目１に記載のエンドエフェクタアセンブリ。
【００１２】
（項目４）上記溶接のタイプが、抵抗溶接、超音波溶接、ガス溶接、エネルギービーム溶接、爆圧溶接、および固体溶接からなる群から選択される、項目３に記載のエンドエフェクタアセンブリ。
【００１３】
（項目５）上記スロットが、上記シールプレートの全厚みを通って延びる、項目１に記載のエンドエフェクタアセンブリ。
【００１４】
（項目６）上記シールプレートの厚みが変動する、項目５に記載のエンドエフェクタアセンブリ。
【００１５】
（項目７）鉗子との使用のためのエンドエフェクタアセンブリの顎部材を製造する方法であって：
その表面に付随する少なくとも１つの開口部を含む構造支持部を提供する工程；
それを通るナイフブレードを並進するような形態のスロットを画定するシールプレートを提供する工程；および
該シールプレートを該構造支持部に連結するための接近を得るために該少なくとも１つの開口部を利用する工程、を包含する、方法。
【００１６】
（項目８）上記利用する工程が、上記シールプレートを、上記構造支持部に、溶接、はんだ付けおよび蝋付けからなる群から選択されるプロセスによって連結することを包含する、項目７に記載の方法。
【００１７】
（項目９）上記利用する工程が、上記シールプレートを、上記構造支持部に、抵抗溶接、超音波溶接、ガス溶接、エネルギービーム溶接、爆圧溶接、および固体溶接からなる群から選択されるプロセスによって連結することを包含する、項目８に記載の方法。
【００１８】
（項目１０）鉗子との使用のためのエンドエフェクタアセンブリであって：
旋回点の周りで互いに作動可能に連結された一対の対向する顎部材を備え、各々の顎部材が、それに固定されたシールプレートを有する構造支持部材を含み、該シールプレートの各々が、深さを有し、そしてそれを通ってナイフブレードを並進するような形態のスロットを画定し、該スロットの合わせた深さが該ナイフブレードの高さより大きく；
ここで、構造支持部の各々が、その中に延び、該構造支持部材の個々のシールプレートへの構造的係合を容易にするような形態の少なくとも１つの開口部を含む、エンドエフェクタアセンブリ。
【００１９】
（項目１１）上記少なくとも１つの開口部が、上記シールプレートの全厚みを通って延びる、項目１０に記載のエンドエフェクタアセンブリ。
【００２０】
（項目１２）上記少なくとも１つの開口部が、上記シールプレートの全厚みを通って延びない、項目１０に記載のエンドエフェクタアセンブリ。
【００２１】
（要約）
鉗子との使用のためのエンドエフェクタアセンブリが提供される。このエンドエフェクタアセンブリは、旋回点の周りで互いに作動可能に連結された一対の対向する顎部材を含む。各々の顎部材は、それに固定されたシールプレートを有する構造支持部材を含む。シールプレートの各々は、深さを有し、そしてそれを通ってナイフブレードを並進するような形態のスロットを画定する。このスロットの合わせた深さは、上記ナイフブレードの高さより大きい。
【図面の簡単な説明】
【００２２】
【図１】図１は、本開示の実施形態による双極鉗子の斜視図である。
【図２】図２は、本開示による図１で描写された双極鉗子の電気配線図を示す。
【図３Ａ】図３Ａは、図１中の参照番号３によって画定される領域の分解図であり、本開示の実施形態による構造支持部材およびシールプレートを示す。
【図３Ｂ】図３Ｂは、図１中の参照番号３によって画定された領域の分解図であり本開示の代替の実施形態による構造支持部材およびシールプレートを示す。
【図４Ａ】図４Ａは、図３Ｂに描写されたシールプレート内のナイフブレードを示す側面図である。
【図４Ｂ】図４Ｂは、図３Ｂに描写されたシールプレート内のナイフブレードを示す断面図である。
【図５Ａ】図５Ａは、溶接接合が形成される前の構造支持部材およびシールプレートを示す。
【図５Ｂ】図５Ｂは、溶接接合が形成された後の構造支持部材およびシールプレートを示す。
【図６】図６は、エンドエフェクタアセンブリを製造する方法を示すフローチャートである。
【発明を実施するための形態】
【００２３】
（詳細な説明）
本開示の詳細な実施形態が本明細書中に開示される；しかし、これら開示される実施形態は、種々の形態で具現化され得る本開示の単なる例示である。従って、本明細書中に開示される特定の構造の詳細および機能の詳細は、制限するものとして解釈されるべきではなく、請求項のための単なる基礎として、そして当業者に、実質上、任意の適切に詳細な構造で、本開示を種々に採用するために教示する代表的な基礎として解釈されるべきである。
【００２４】
上記で陳述されたように、従来の電気外科用鉗子は、各々が絶縁性の構造支持部材、および薄いシールプレートを有する一対の対向する顎部材を含むエンドエフェクタアセンブリを含み、これは、ナイフブレードまたはその一部分を受容するよう適合されたナイフブレードスロットを含み得る。代表的には、上記顎部材の構造支持部材および薄いシールプレートは、一緒にスタンプまたはオーバーモールドされる。
【００２５】
上記顎部材の構造一体性は、それらの個々の構造支持部材によって提供される。上記絶縁性支持部は、組織を上記薄いシールプレートから絶縁し、いくつかの事例ではまた、さらなる構造一体性顎部材を提供するような形態であり得る。この顎部材の全体の構造的一体性は、それらの個々の構造支持部材によって提供されるので、シールプレートは、代表的には、比較的薄く製造され、そして、最小の、そしてある場合に、各々の個々の顎部材に構造一体性を提供する。
【００２６】
従来のシールプレートは、組織に対する影響、例えば組織シールを引き起こすような形態の電気的に伝導性の組織接触面を含む。上記でのべたように、いくつかの事例では、上記シールプレートは、それに沿って、ナイフブレードまたはその一部分を受容するような形態であるスロットを含み得る。
【００２７】
通常、シールプレートのスロットは、構造支持部材上に位置する溝またはスロットと、ナイフブレードまたはその一部分がその中で並進し得るような様式で整列するような形態である。上記で述べた理由のために、そのような様式で構造支持部材およびシールプレートを含むエンドエフェクタアセンブリを有することは、時間を浪費し、そして製造するためにコスト高であることが判明し得る。
【００２８】
本開示は、各々が構造支持部材およびスロットを含むシールプレートを含む、対向する顎部材を含むエンドエフェクタアセンブリを提供し、ここで、これらシールプレートは、ナイフブレード、またはその一部が、それらの個々の構造支持部材から独立にシールプレートのスロット内で並進し得るような様式にある形態である。すなわち、これらシールプレートは、各々が、ナイフブレードが、それらの個々の構造支持部材中に延びることなくシールプレートのスロット内で並進することを可能にする厚みを有し得る。
【００２９】
さらに、これらシールプレートの厚みのために、これら構造支持部材およびそれらの個々のシールプレートは、各々が、互いに、溶接などを介して固定され得、そして整列問題は未然に防がれる。
【００３０】
ここで図１を参照して、電気外科用鉗子１０の１つの実施形態が示される。本開示の残りでは、電気外科用鉗子は、任意の適切な電気外科用鉗子が本開示とともに採用され得ることを忘れずに；双極鉗子であると想定される。双極鉗子１０は、種々の電気外科的手順との使用のために示され、そして一般に、ハウジング２０、ハンドルアセンブリ３０、回転アセンブリ８０、トリガーアセンブリ７０、駆動アセンブリ１３０（図示はされていない）、およびエンドエフェクタアセンブリ１００を含み、これは、駆動アセンブリ１３０に作動可能に連結され得る。エンドエフェクタアセンブリ１００は、対向する顎部材１１０および１４０を含み、これらは互いに協働して、大きな管状脈管および大きな血管組織を把持し、シールし、そしていくつかの場合には分割する。図面の大部分は、内視鏡外科的手順と組み合わせる使用のための双極鉗子１０を描写しているけれども、本開示は、より多くの伝統的開放手術手順のために用いられ得る。本明細書における目的には、鉗子１０は、内視鏡器具の見地から記載されるが、鉗子の開放バージョンがまた、以下に記載されるのと同じまたは類似の作動構成要素を含み得ることが企図される。
【００３１】
鉗子１０は、駆動アセンブリ１３０の駆動ロッド１３２がエンドエフェクタアセンブリ１００を機械的に係合し、そして近位端１６がハウジング２０を機械的に係合するような様式である寸法の遠位端１４を有するシャフト１２を含む。図面において、そして以下の説明において、用語「近位」は、伝統的であるように、使用者により近い鉗子１０の端部をいい、その一方、用語「遠位」は、使用者からより遠い端部をいう。
【００３２】
ハンドルアセンブリ３０は、固定ハンドル５０および移動可能ハンドル４０を含む。固定ハンドル５０は、ハウジング２０と一体に付随し、そしてハンドル４０は固定ハンドル５０に対して移動可能である。固定ハンドル５０は、１つ以上の人間工学的増強要素を含み得、取り扱いを容易にし、例えば、スカラップ、隆起、エラストマー材料などである。
【００３３】
ハンドルアセンブリ３０の移動可能ハンドル４０は、最終的には、駆動ロッド１３２を含む駆動アセンブリ１３０に連結され、これらは、一緒に機械的に協働して顎部材１１０および１４０の移動を与え、顎部材１１０および１４０が互いに対して間隔を置いて配置される開放位置から、これら顎部材１１０および１４０がそれらの間に組織を把持するよう協働するクランプまたは閉鎖位置まで移動する。
【００３４】
回転アセンブリ８０は、ハウジング２０と作動可能に関連し、そしてシャフト１２を通って画定される長手方向軸「Ａ−Ａ」の周りでほぼ１８０゜回転可能である（図１を参照のこと）。
【００３５】
鉗子１０はまた、鉗子１０を電気外科用エネルギーの供給源、例えば、発電機５００（概略的に示される）に連結する電気外科用ケーブル３１０を含む。Ｂｏｕｌｄｅｒ  Ｃｏｌｏｒａｄｏに位置するＶａｌｌｅｙｌａｂ−Ｔｙｃｏ  Ｈｅａｌｔｈｃａｒｅ  ＬＰの事業部−によって販売されるような発電機、例えば、ＬｉｇａｓｕｒｅＴＭ、Ｇｅｎｅｒａｔｏｒ、ＦＯＲＣＥ  ＥＺＴＭ  Ｅｌｅｃｔｒｏｓｕｒｇｉｃａｌ  Ｇｅｎｅｒａｔｏｒ、ＦＯＲＣＥ  ＦＸＴＭ  Ｅｌｅｃｔｒｏｓｕｒｇｉｃａｌ  Ｇｅｎｅｒａｔｏｒ、ＦＯＲＣＥ  １ＣＴＭ、ＦＯＲＣＥ２ＴＭ  Ｇｅｎｅｒａｔｏｒ、ＳｒｕｇｉＳｔａｔＴＭＩＩ、またはその他の適切な発電機が電気外科用エネルギーの供給源として用いられ得ることが企図され、これらは、異なるか、または増強された機能を実施し得る。
【００３６】
ハンドルアセンブリ３０、移動可能ハンドル４０、回転アセンブリ８０、電気外科用ケーブル３１０（ライン−供給形態および／または連結を含む）、および駆動アセンブリ１３０のより詳細な説明のために、「血管シーラーおよび分割器ならびにそれらの製造方法」と題する、２００３年２月２０日に出願された、本出願人が所有する特許出願番号第１０／３６９，８９４号への参照がなされる。
【００３７】
エンドエフェクタアセンブリ１００は、対向する顎部材１１０および１４０を含む。顎部材１１０および１４０は、ほぼ対称であり、そして協働して組織のシールおよび／または分割を行う類似の構成要素特徴を含む。結果として、そしてそうでないことが記載されなければ、顎部材１１０およびそれに付随する作動特徴のみが本明細書中で説明されるが、これら特徴の多くが顎部材１４０に同様に適用されることが認識され得る。
【００３８】
ここで図３Ａおよび３Ｂを参照して、顎部材１１０が示される。顎部材１１０は、構造支持部材１１６、およびその中にスロット１１２を画定する電気的に伝導性のシールプレート１１８（本明細書では以後、シールプレート１１８という）を含む。構造支持部１１６は、以下により詳細に説明されるように、シールプレート１１８を機械的に係合するような寸法である。同様に、顎部材１４０は、構造支持部材１４６、およびその中にスロット１４２を画定する電気的に伝導性のシールプレート１４８を含む。
【００３９】
図４Ａおよび４Ｂを参照して、シールプレート１１８および１４８は、顎部材１１０および１４０が閉鎖形態にあるとき、ナイフブレード２００、またはその一部が、シールプレート１１８のスロット１１２およびシールプレート１４８のスロット１４２内で、構造部材１１６および１４８とはそれぞれ独立に並進するような様式の形態である。すなわち、シールプレート１１８および１４８、またはそれらの一部分は、閉鎖形態にあるとき、ナイフブレード２００の高さ「ｈ」より大きい合わせた厚みを有し得る。例えば、顎部材１１０および１４０のシールプレート１１８および１４８の各々は、それぞれ、各々が、少なくともナイフブレード２００の高さ「ｈ」の半分より大きい厚みを有する。結果として、ナイフブレード２００は、構造部材１１６および１４６中に延びることができないか、または延びることを妨げられ、そして整列および許容誤差問題は、製造の間に一緒に避けられる。
【００４０】
換言すれば、顎部材１１０および１４０の１１８および１４８は、それぞれ、互いに必ずしも等しくはないかも知れないが、最終的には、顎部材が閉鎖形態にあるとき、ナイフブレード２００の高さ「ｈ」に等しい厚みを有する。
【００４１】
シールプレート１１８および１４８はまた、シールプレートの各々の近位端から遠位端まで、またはそれらの中間で変動する（すなわち不均一な）厚みを有し得る。例えば、シールプレート１１８および１４８は、各々が、特定の目的に依存して、その遠位端での厚みよりわずかに大きい厚みを有する近位端を有し得る。
【００４２】
シールプレート１１８および１４８は各々、表面１１８ａおよび１４８ａをそれぞれ含み、これらは、本明細書中では、構造支持部材に固定される表面、および本明細書中では、組織に接触する表面として画定される底面として画定される。スロット１１２および１４２は、それらの個々のシールプレート１１８、１４８の近位端１１２ａおよび１４２ａから遠位方向に延び、そしてそれらの中にナイフブレード２００の長手方向並進のための経路を提供する。スロット１１２および１４２は、それらの個々のシールプレート１１８の表面で開放され得る（図３Ａ）。あるいは、スロット１１８および１４８は、それらの個々のシールプレートの表面で閉じられ得る（図３Ｂ）。
【００４３】
ナイフブレードスロット１１２および１４２を画定するシールプレート１１８および１４８は、それぞれ、１つ以上の公知の製造技法、例えば、超音波溶接、熱溶接、アーク溶接などを介してそれらの個々の構造部材に接続されるような形態である。構造部材１１６をシールプレート１１８に接続するための溶接技法は、制限されないで、抵抗溶接、ガス溶接、エネルギービーム溶接、爆圧溶接、および固体溶接を含む。
【００４４】
図３Ａおよび３Ｂを参照して、構造支持部材１１６が示され、そして制限されないで、プラスチックなどを含む、当該技術分野で公知の任意の適切な材料から製造される。構造支持部材１１６は、シールプレート１１８に、顎部材１１０および１４０が開放形態から、それらが組織のシールおよび／または分割を行うよう協働し得る閉鎖形態まで移動可能であるように連結するような形態である。
【００４５】
構造支持部材１１６および１４０、またはそれらの一部分上に位置して、１つ以上のくり抜かれた開口部１２０がある（図３Ａおよび３Ｂ）。開口部１２０は、穴、スロット、溝などのような任意の適切な形状を有し得、これらは、構造支持部１１６内に延びるような形態であり、そして図５Ａまたは５Ｂに示されるように、シールプレート１１８、またはその一部分を、構造支持部材１１６に接続するための寸法である。例えば、開口部１２０は、構造支持部材１１６およびシールプレート１１８がそれらの間に形成された溶接を介して一緒に接続され得るような形態であり得る。この目的を記憶して、開口部１２０は、シールプレート１１８まで完全に延びない（図５Ａ）。結果として、構造支持部１１６は、開口部１２０と、シールプレート１１８の表面１１８ａとの間に保たれる。構造支持部１１６とシールプレート１１８との間に保たれる部分は、溶接の部分を形成する（図５Ｂ）。
【００４６】
構造部材１１６および１４６は、上記の溶接技法の１つ以上を介して、または当該技術分野で公知の固定方法、例えばはんだ付け、または蝋付けによって、それらの個々のシールプレート１１８、１４８に接続され得る。
【００４７】
使用において、組織をシールする前に、顎部材１１０および１４０は、最初、開放形態にあり、各々は、長手方向軸「Ｘ」に対して角度θで配置される。組織がシールのために把持される準備ができたとき、使用者は、組織を顎部材１１０と１４０との間に位置決めし、そしてハンドル４０を絞り、それは、次に、顎部材１１０および１４０を、開放形態から閉鎖形態まで移動させる。組織が顎部材１１０と１４０との間に把持されるとき、電気外科用エネルギーが、顎部材１１０および１４０に伝達され、それらの間で組織シール（例えば凝固）を行う。
【００４８】
組織が切断されるべき場合、組織が顎部材１１０と１４０との間に把持されている間に、使用者は、ナイフブレード２００を、ナイフブレード２００がシールプレート１１８および１４８のスロット１１２および１４２をそれぞれ通って長手方向に延びるように起動し、それらの間で組織切断を行う。
【００４９】
標的組織を処置（例えば、シールおよび／または切断）することの終了に際し、使用者はハンドル４０を解放し、これは、次に、顎部材１１０および１４０をそれらの初期の解放形態に戻すようにし、ここで、それらは、再び、長手方向軸「Ｘ」に対して角度θで配置される。
【００５０】
図６を参照して、双極鉗子との使用のためのエンドエフェクタアセンブリを製造するための方法４００が示される。ステップ４０２では、その表面に付随する少なくとも１つの開口部を含む構造支持部が提供される。ステップ４０４では、それを通ってナイフブレードが並進するような形態のスロットを画定するシールプレートが提供される。そしてステップ４０６では、シールプレートを構造支持部に連結するための接近を得るような形態の１つ以上の開口部が利用される。
【００５１】
前述から、そして種々の図の図面を参照して、当業者は、特定の改変がまた、本開示の範囲から逸脱することなく本開示になされ得ることを認識する。
【００５２】
本開示のいくつかの実施形態が図面に示されているけれども、本開示はそれらに制限されることは意図されない。なぜなら、本開示は、当該技術分野が許容し、しかも本明細書が同様に読まれるのと範囲が同じ広さであることが意図されるからである。従って、上記の説明は制限すると解釈されるべきではなく、特定の実施形態の単なる例示である。当業者は、本明細書に添付された請求項の範囲および思想内でその他の改変を想定する。
【符号の説明】
【００５３】
１０  電気外科用鉗子
１２  シャフト
１４  遠位端
２０  ハウジング
３０  ハンドルアセンブリ
４０  移動可能ハンドル
５０  固定ハンドル
７０  トリガーアセンブリ
８０  回転アセンブリ
１００  エンドエフェクタアセンブリ
１１０、１４０  顎部材
１１６、１４６  構造支持部材
１１８、１４８  シールプレート
１３０  駆動アセンブリ
２００  ナイフブレード
【図１】
0005436877.tif 000002
【図２】
0005436877.tif 000003
【図３Ａ】
0005436877.tif 000004
【図３Ｂ】
0005436877.tif 000005
【図４Ａ】
0005436877.tif 000006
【図４Ｂ】
0005436877.tif 000007
【図５Ａ】
0005436877.tif 000008
【図５Ｂ】
0005436877.tif 000009
【図６】
0005436877.tif 000010